(57)【特許請求の範囲】
【請求項１】
患者情報、検査情報、及びシリーズ情報を含む付帯情報を有する医用画像を記憶する記憶手段を備えたサーバに接続され、前記サーバから医用画像を取得して表示手段に表示する医用画像表示装置であって、
操作手段と、
前記操作手段による操作に応じて、前記記憶手段に記憶されている医用画像の付帯情報を前記サーバから取得し、当該取得された付帯情報の患者情報及び検査情報に基づいて、前記記憶手段に記憶されている医用画像を検査単位で選択して前記サーバから取得するための検査リストを生成し前記表示手段に表示させる検査リスト表示制御手段と、
前記操作手段により前記検査リスト上の検査が選択された際に、当該選択された検査に含まれるシリーズ毎に、そのシリーズに含まれる医用画像のサムネイル画像を前記検査リストと同一画面上に表示させるとともに、前記サムネイル画像に対応付けて所定の文字数まで前記シリーズ情報の予め定められた項目を表示させ、前記操作手段により前記表示手段に表示されたサムネイル画像に対して所定の操作がなされた場合に、前記操作されたサムネイル画像に対応するシリーズ情報の前記予め定められた項目の全てをポップアップ表示させるシリーズ情報表示制御手段と、
を備える医用画像表示装置。
【請求項２】
前記シリーズ情報の前記予め定められた項目は、シリーズ記述を含む請求項１に記載の医用画像表示装置。
【請求項３】
患者情報、検査情報、及びシリーズ情報を含む付帯情報を有する医用画像を記憶する記憶手段を備えたサーバに接続され、前記サーバから医用画像を取得して表示手段に表示する医用画像表示装置に用いられるコンピュータを、
操作手段、
前記操作手段による操作に応じて、前記記憶手段に記憶されている医用画像の付帯情報を前記サーバから取得し、当該取得された付帯情報の患者情報及び検査情報に基づいて、前記記憶手段に記憶されている医用画像を検査単位で選択して前記サーバから取得するための検査リストを生成し前記表示手段に表示させる検査リスト表示制御手段、
前記操作手段により前記検査リスト上の検査が選択された際に、当該選択された検査に含まれるシリーズ毎に、そのシリーズに含まれる医用画像のサムネイル画像を前記検査リストと同一画面上に表示させるとともに、前記サムネイル画像に対応付けて所定の文字数まで前記シリーズ情報の予め定められた項目を表示させ、前記操作手段により前記表示手段に表示されたサムネイル画像に対して所定の操作がなされた場合に、前記操作されたサムネイル画像に対応するシリーズ情報の前記予め定められた項目の全てをポップアップ表示させるシリーズ情報表示制御手段、
として機能させるためのプログラム。
【発明の詳細な説明】
【技術分野】
【０００１】
本発明は、医用画像表示装置及びプログラムに関する。
【背景技術】
【０００２】
医療の分野では、患者を撮影した医用画像のデジタル化が実現されている。デジタル化は、ＣＲ（Computed Radiography）装置、ＣＴ（Computed Tomography）装置、ＭＲＩ（Magnetic Resonance Imaging）装置等の画像生成装置、カセッテ読み取り装置等の各種モダリティにより行われる。デジタル化された医用画像は、患者の患者情報や、検査情報、シリーズ情報等の付帯情報とともにデータ管理サーバにより一元的に管理される。具体的には、医用画像とＤＩＣＯＭ（Digital Imaging and Communications in Medicine）規格に適合するＤＩＣＯＭ基本情報（付帯情報）とがデータ管理サーバのデータベースに登録され、管理されている。このデータ管理サーバに保存されている医用画像は、クライアント端末から読み出され、読影に使用されている。
【０００３】
医師による読影は、一般的に、検査単位で行われる。検査単位で医用画像をデータ管理サーバから読み出すために、検査リスト画面が用いられている。検査リスト画面には、検索条件に合致した各検査の医用画像の患者情報や検査情報の予め定められた項目が検査リストとして一覧表示されており、医師は、この検査リスト画面から所望の検査を選択し、検査単位でデータ管理サーバから医用画像を読み出して読影を行っている。
【０００４】
ここで、付帯情報としては、患者情報（患者ＩＤ、患者氏名、生年月日等）、検査情報（検査日、検査ＩＤ等）、シリーズ情報（シリーズ番号、検査（撮影）部位、モダリティ、シリーズ記述等）、画像情報（画像番号等）があるが、画面のスペースに制限があるという点から、また、検査リスト画面は検査単位で情報を一覧表示するので一検査に複数含まれる可能性があるシリーズ情報まで検査リスト上に表示することが困難であるという点等から、一般的に、検査情報のレベルまでの情報が表示されている。しかし、実際には、検査リスト上で検査に含まれる各シリーズについてのシリーズ情報を特定したいという要望が生じている。そこで、例えば、特許文献１には、検査リスト画面上に検査リストとは別に人体の模型像を表示し、リスト表示された医用画像の撮影部位を模型像上に識別して表示する技術が記載されている。
【先行技術文献】
【特許文献】
【０００５】
【特許文献１】特開２００８−２６４１６７号公報
【発明の概要】
【発明が解決しようとする課題】
【０００６】
特許文献１によれば、シリーズ情報のうち、撮影部位については検査リスト画面上で確認することが可能となる。しかしながら、その他の項目の情報については確認することができない。
【０００７】
例えば、シリーズ情報に含まれるシリーズ記述は、検査技師が検査時（撮影時）に医師に伝えておくべき特記事項がある場合にその内容を書き込むこと等に使用される項目である。このシリーズ記述に記載した内容は、従来、読影画面に表示されている。しかし、読影画面を開いて医用画像を表示してしまうと、医師の意識は医用画像にいきがちであり、シリーズ記述を見落としてしまう可能性がある。また、シリーズ記述には、例えばそのシリーズの画像の緊急性や優先順位、再撮影の予定等、読影画面を開く前に検査リスト画面上で医師が把握しておくべきことが含まれている場合がある。そのため、検査リスト画面上でシリーズ記述が確認できる必要がある。
【０００８】
本発明の課題は、検査リスト画面上でシリーズ情報を容易に閲覧できるようにすることである。
【課題を解決するための手段】
【０００９】
上記課題を解決するため、請求項１に記載の発明は、
患者情報、検査情報、及びシリーズ情報を含む付帯情報を有する医用画像を記憶する記憶手段を備えたサーバに接続され、前記サーバから医用画像を取得して表示手段に表示する医用画像表示装置であって、
操作手段と、
前記操作手段による操作に応じて、前記記憶手段に記憶されている医用画像の付帯情報を前記サーバから取得し、当該取得された付帯情報の患者情報及び検査情報に基づいて、前記記憶手段に記憶されている医用画像を検査単位で選択して前記サーバから取得するための検査リストを生成し前記表示手段に表示させる検査リスト表示制御手段と、
前記操作手段により前記検査リスト上の検査が選択された際に、当該選択された検査に含まれるシリーズ毎に、そのシリーズに含まれる医用画像のサムネイル画像を前記検査リストと同一画面上に表示させるとともに、前記サムネイル画像に対応付けて所定の文字数まで前記シリーズ情報の予め定められた項目を表示させ、前記操作手段により前記表示手段に表示されたサムネイル画像に対して所定の操作がなされた場合に、前記操作されたサムネイル画像に対応するシリーズ情報の前記予め定められた項目の全てをポップアップ表示させるシリーズ情報表示制御手段と、
を備える。
【００１１】
請求項２に記載の発明は、請求項１に記載の発明において、
前記シリーズ情報の前記予め定められた項目は、シリーズ記述を含む。
【００１２】
請求項３に記載の発明のプログラムは、
患者情報、検査情報、及びシリーズ情報を含む付帯情報を有する医用画像を記憶する記憶手段を備えたサーバに接続され、前記サーバから医用画像を取得して表示手段に表示する医用画像表示装置に用いられるコンピュータを、
操作手段、
前記操作手段による操作に応じて、前記記憶手段に記憶されている医用画像の付帯情報を前記サーバから取得し、当該取得された付帯情報の患者情報及び検査情報に基づいて、前記記憶手段に記憶されている医用画像を検査単位で選択して前記サーバから取得するための検査リストを生成し前記表示手段に表示させる検査リスト表示制御手段、
前記操作手段により前記検査リスト上の検査が選択された際に、当該選択された検査に含まれるシリーズ毎に、そのシリーズに含まれる医用画像のサムネイル画像を前記検査リストと同一画面上に表示させるとともに、前記サムネイル画像に対応付けて所定の文字数まで前記シリーズ情報の予め定められた項目を表示させ、前記操作手段により前記表示手段に表示されたサムネイル画像に対して所定の操作がなされた場合に、前記操作されたサムネイル画像に対応するシリーズ情報の前記予め定められた項目の全てをポップアップ表示させるシリーズ情報表示制御手段、
として機能させる。
【発明の効果】
【００１３】
本発明によれば、検査リスト画面上でシリーズ情報を容易に閲覧できるようにすることが可能となる。
【図面の簡単な説明】
【００１４】
【図１】本実施の形態における医用画像管理システムの全体構成例を示す図である。
【図２】図１のデータ管理サーバの機能的構成を示すブロック図である。
【図３】図２の記憶部に格納されるＤＢのデータ格納例を示す図である。
【図４】図１のクライアント端末の機能的構成を示すブロック図である。
【図５】図１のコンソールの表示部に表示される入力画面の一例を示す図である。
【図６】図１のクライアント端末及びデータ管理サーバにより実行される検査リスト表示処理のフローチャートである。
【図７Ａ】図６のステップＳ１において表示される検査リスト画面の一例を示す図である。
【図７Ｂ】図６のステップＳ７において表示される検査リスト画面の一例を示す図である。
【図８】図４のクライアント端末のＣＰＵにより実行されるシリーズ情報表示処理の一例を示す図である。
【図９】図８のステップＳ１２においてサムネイル画像及びシリーズ情報が表示された検査リスト画面の一例を示す図である。
【図１０】図８のステップＳ１５においてシリーズ記述がポップアップ表示された検査リスト画面の一例を示す図である。
【発明を実施するための形態】
【００１５】
以下、図を参照して本発明の実施の形態を詳細に説明する。ただし、発明の範囲は、図示例に限定されない。
【００１６】
〔医用画像管理システム１００の構成〕
図１に、本実施の形態における医用画像管理システム１００のシステム構成を示す。
医用画像管理システム１００は、病院内に設置されるシステムである。図１に示すように、医用画像管理システム１００は、データ管理サーバ１０と、クライアント端末２０と、コンソール３０と、がＬＡＮ（Local Area Network）やＷＡＮ（Wide Area Network）等の通信回線からなる通信ネットワークＮを介してデータ送受信可能に接続されて構成されている。医用画像管理システム１００を構成する各装置は、ＤＩＣＯＭ（Digital Image and Communications in Medicine）規格に準じており、各装置間の通信は、ＤＩＣＯＭに則って行われる。なお、各装置の台数は、特に限定されない。
【００１７】
〔データ管理サーバ１０の構成〕
データ管理サーバ１０は、ＣＴ装置、ＭＲＩ装置、ＣＲ装置等の各種モダリティにより生成された医用画像のデータ、及び医用画像に関する付帯情報（患者情報、検査情報、シリーズ情報、画像情報）を蓄積記憶・管理するコンピュータ装置である。
【００１８】
図２に、データ管理サーバ１０の機能的構成を示す。
図２に示すように、データ管理サーバ１０は、ＣＰＵ１１、操作部１２、表示部１３、通信部１４、ＲＡＭ１５、記憶部１６等を備えて構成され、各部はバス１７により接続されている。
【００１９】
ＣＰＵ１１は、記憶部１６に記憶されているプログラム読み出し、ＲＡＭ１５内に形成されたワークエリアに展開し、該プログラムに従って各部を制御する。
【００２０】
操作部１２は、カーソルキー、数字入力キー、及び各種機能キー等を備えたキーボードと、マウス等のポインティングデバイスを備えて構成され、キーボードに対するキー操作やマウス操作により入力された指示信号をＣＰＵ１１に出力する。
【００２１】
表示部１３は、ＬＣＤ（Liquid Crystal Display）やＣＲＴ(Cathode Ray Tube)等のモニタにより構成され、ＣＰＵ１１から入力される表示信号の指示に従って、各種画面や医用画像等を表示する。
【００２２】
通信部１４は、ＬＡＮアダプタ、ルータ、ＴＡ（Terminal Adapter）等を備え、通信ネットワークＮに接続された各装置とデータの送受信を行う。
【００２３】
ＲＡＭ１５は、ＣＰＵ１１により実行制御される各種処理において、記憶部１６から読み出された各種プログラム、入力若しくは出力データ、及びパラメータ等を一時的に格納するワークエリアを形成する。
【００２４】
記憶部１６は、ＨＤＤ（Hard Disc）や半導体の不揮発性メモリ等により構成される。
記憶部１６は、ＣＰＵ１１で実行される各種プログラム、これらのプログラムの実行に必要なデータ等が記憶されている。
【００２５】
また、記憶部１６には、ＤＢ（Data Base）１６０、画像ファイル１６５等が記憶されている。
【００２６】
ＤＢ１６０は、医用画像の付帯情報を格納するためのデータベースである。ＤＢ１６０は、患者情報テーブル１６１、検査情報テーブル１６２、シリーズ情報テーブル１６３、画像情報テーブル１６４を含む。
患者情報テーブル１６１には、図３（ａ）に示すように、患者ＬＩＤ（Link Identification）毎に、患者の名前、患者の生年月日、患者の年齢、患者の性別等の患者情報が格納されている。
検査情報テーブル１６２には、図３（ｂ）に示すように、検査ＬＩＤ毎に、検査インスタンスＵＩＤ（Unique Identification）、患者ＬＩＤ、検査日付、検査時刻等の検査に関する検査情報が格納されている。検査情報テーブル１６２に格納されている各検査情報は、患者ＬＩＤにより患者情報に関連付けられている。
シリーズ情報テーブル１６３には、図３（ｃ）に示すように、シリーズＬＩＤ毎に、シリーズインスタンスＵＩＤ、検査ＬＩＤ、モダリティ、シリーズ番号、検査部位、ＡＥタイトル、シリーズ記述、サムネイル画像等のシリーズ情報が格納されている。ここで、シリーズとは、同一検査内で取得された医用画像のうち、互いに関連する一連の医用画像のまとまりを指す。即ち、検査は、一又は複数のシリーズを含む。シリーズ記述は、検査技師により入力された、医師への伝達事項や検査時の特記事項等が記載される項目である。例えば、各シリーズの緊急性や優先順位、再撮影の予定等が含まれる。サムネイル画像は、各シリーズに含まれる医用画像の代表画像（例えば、各シリーズのうち画像番号の最も小さい医用画像のサムネイル画像）である。シリーズ情報テーブル１６３に格納されている各シリーズ情報は、検査ＬＩＤにより検査情報に対応付けられている。
画像情報テーブル１６４には、図３（ｄ）に示すように、画像ＬＩＤ毎に、ＳＯＰ（Service Object Pair）インスタンスＵＩＤ、シリーズＬＩＤ、画像番号、画像日付、画像時刻、画像ファイルパス等の画像に関する各種情報が格納されている。画像ファイルパスは、画像ファイルの所在を示す情報をいう。画像情報テーブル１６４に格納されている各画像情報は、シリーズＬＩＤによりシリーズ情報に対応付けられている。
画像ファイル１６５は、図示しないモダリティから受信した医用画像の画像データのファイルである。  
【００２７】
〔クライアント端末２０の構成〕
クライアント端末２０は、データ管理サーバ１０に蓄積記憶されている情報を取得して表示するためのＰＣ（Personal Computer）等の医用画像表示装置である。
【００２８】
図４に、クライアント端末２０の機能的構成を示す。
図４に示すように、クライアント端末２０は、ＣＰＵ２１、操作部２２、表示部２３、通信部２４、ＲＡＭ２５、記憶部２６等を備えて構成され、各部はバス２７により接続されている。
【００２９】
ＣＰＵ２１は、記憶部２６に記憶されているプログラムを読み出し、ＲＡＭ２５内に形成されたワークエリアに展開し、該プログラムに従って各部を制御する。
【００３０】
操作部２２は、カーソルキー、数字入力キー、及び各種機能キー等を備えたキーボードと、マウス等のポインティングデバイスを備えて構成され、キーボードに対するキー操作やマウス操作により入力された指示信号をＣＰＵ２１に出力する。
【００３１】
表示部２３は、ＬＣＤ（Liquid Crystal Display）やＣＲＴ(Cathode Ray Tube)等のモニタにより構成され、ＣＰＵ２１から入力される表示信号の指示に従って、各種画面や医用画像等を表示する。
【００３２】
通信部２４は、ＬＡＮアダプタ、ルータ、ＴＡ（Terminal Adapter）等を備え、通信ネットワークＮに接続された各装置とデータの送受信を行う。
【００３３】
ＲＡＭ２５は、ＣＰＵ２１により実行制御される各種処理において、記憶部２６から読み出された各種プログラム、入力若しくは出力データ、及びパラメータ等を一時的に格納するワークエリアを形成する。
【００３４】
記憶部２６は、ＨＤＤ（Hard Disc）や半導体の不揮発性メモリ等により構成される。
記憶部２６は、ＣＰＵ２１で実行されるプログラム、これらのプログラムの実行に必要なデータ、各種設定情報等を記憶する。記憶部２６に記憶されているプログラムには、検査リスト表示処理のクライアント端末２０側の処理、及びシリーズ情報表示処理を実行するためのプログラムが含まれる。
【００３５】
コンソール３０は、ＣＰＵ、操作部、表示部、通信部、ＲＡＭ、記憶部等を備えて構成され、医用画像を生成するモダリティに接続され、医用画像に付帯させる付帯情報を入力したり、モダリティにおける撮影を制御したりするための装置である。
図５に、コンソール３０の表示部に表示される入力画面３０１の一例を示す。例えば、コンソール３０は、操作部からの操作に応じて図５に示す入力画面３０１を表示部に表示させ、入力画面３０１から入力されたシリーズ記述等の情報を付帯情報として医用画像に付帯させることができる。
【００３６】
〔医用画像管理システム１００の動作〕
次に、医用画像管理システム１００の動作について説明する。
（検査リスト表示処理）
まず、クライアント端末２０及びデータ管理サーバ１０により実行される検査リスト表示処理について説明する。
図６に、クライアント端末２０及びデータ管理サーバ１０により実行される検査リスト表示処理のフローを示す。検査リスト表示処理は、クライアント端末２０の操作部２２による指示に応じて開始される。図６に示すクライアント端末２０側の処理は、ＣＰＵ２１と記憶部２６に記憶されているプログラムとの協働により実行される。図６に示すデータ管理サーバ１０側の処理は、ＣＰＵ１１と記憶部１６に記憶されているプログラムとの協働により実行される。検査リスト表示処理のクライアント端末２０側の処理により、検査リスト表示制御手段が実現される。
【００３７】
まず、クライアント端末２０において、表示部２３に検査リスト画面２３１が表示される（ステップＳ１）。ステップＳ１においては、検査リストに表示される情報の取得前であるため、図７Ａに示すように、検査リスト画面２３１のうち検索条件入力欄２３１ａ、サーチボタン２３１ｄ、クリアボタン２３１ｅのみが表示された画面が表示される。
【００３８】
操作部２２により検査リスト画面２３１の検索条件入力欄２３１ａから検査リストに表示する検査の検索条件が入力されると（ステップＳ２）、入力された検索条件が通信部２４によりデータ管理サーバ１０に送信され、データ管理サーバ１０に対して検索条件に該当する検査に関する情報（少なくとも患者情報、検査情報、シリーズ情報。ここでは、この３つの情報とする。）の取得要求が行われる（ステップＳ３）。
【００３９】
データ管理サーバ１０においては、通信部１４によりクライアント端末２０から検索条件及び検索条件に該当する検査に関する情報の取得要求が受信されると、受信された検索条件に合致する検査の患者情報、検査情報、シリーズ情報（サムネイル画像を含む）がＤＢ１６０から検索され、取得される（ステップＳ４）。取得された情報、即ち、検索条件に合致する検査の患者情報、検査情報及びシリーズ情報は、通信部１４によりクライアント端末２０に送信される（ステップＳ５）。
【００４０】
クライアント端末２０においては、通信部２４によりデータ管理サーバ１０から検索条件に合致する検査についての患者情報、検査情報及びシリーズ情報が受信されると、受信された情報がＲＡＭ２５に記憶されるとともに（ステップＳ６）、受信された情報のうち患者情報と検査情報の所定の項目からなる検査リスト２３１ｂが生成され、表示部２３の検査リスト画面２３１上に表示される（ステップＳ７）。そして、検査リスト表示処理は終了する。
図７Ｂに、ステップＳ７において表示される、検査リスト２３１ｂが表示された検査リスト画面２３１の一例を示す。
【００４１】
（シリーズ情報表示処理）
次に、クライアント端末２０において実行されるシリーズ情報表示処理について説明する。
図７Ｂに示すように、検査リスト画面２３１の検査リスト２３１ｂにおいては、検索条件に合致した検査の情報が表示されるが、表示される項目は、患者ＩＤ、患者氏名、生年月日、検査日、検査ＩＤ等の、患者情報及び検査情報の予め定められた項目である。シリーズ情報は、検査リスト２３１ｂが検査単位で表示される点、また、画面のスペースに制限があるという点から、検査リスト２３１ｂ上で表示されていない。しかし、シリーズ情報の中には、例えば、シリーズ記述等、医師が読影前に確認すべき事項が含まれている場合ある。
そこで、本実施の形態においては、シリーズ情報表示処理を実行することにより、操作部２２からの操作に応じて検査リスト画面２３１上においてシリーズ情報を表示できるようにする。以下の説明では、シリーズ情報としてシリーズ記述を表示する場合を例にとり説明する。
【００４２】
図８に、シリーズ情報表示処理のフローチャートを示す。シリーズ情報表示処理は、クライアント端末２０のＣＰＵ２１と記憶部２６に記憶されているプログラムとの協働により実行される。シリーズ情報表示処理によりシリーズ情報表示制御手段が実現される。
【００４３】
操作部２２により検査リスト画面２３１の検査リスト２３１ｂから一の検査が選択操作（例えば、クリック）されると（ステップＳ１１；ＹＥＳ）、検査リスト２３１ｂの下部にあるサムネイル画像表示欄２３１ｃに、選択された検査に含まれるシリーズ毎に、そのシリーズに含まれる医用画像のサムネイル画像Ｇが表示される（ステップＳ１２）。具体的には、ＲＡＭ２５に記憶されている、選択された検査に対応する各シリーズ情報のサムネイル画像Ｇが読み出されて表示される。
【００４４】
次いで、各サムネイル画像Ｇの下部に、そのサムネイル画像に対応するシリーズのシリーズ記述ＤがＲＡＭ２５から読み出されて表示される（ステップＳ１３）。
【００４５】
図９に、ステップＳ１２においてサムネイル画像Ｇ及びシリーズ記述Ｄが表示された検査リスト画面２３１の一例を示す。図９に示すように、検査リスト２３１ｂの下部のサムネイル画像表示欄２３１ｃには、検査に含まれる各シリーズ（ここでは、１シリーズ）のサムネイル画像Ｇが表示されている。各サムネイル画像Ｇの下部には、そのシリーズについてのシリーズ記述Ｄが表示されている。このように、医師は、検査リスト２３１ｂ上で操作部２２により所望する検査を選択するという簡単な操作で、その検査に含まれる各シリーズの概要をサムネイル画像Ｇで知ることができるとともに、各シリーズのシリーズ記述Ｄをサムネイル画像Ｇと対応させて把握することができるので、読影診断を効率的に行うことが可能となる。また、各シリーズのシリーズ記述Ｄはそのシリーズのサムネイル画像Ｇと対応して表示されるので、どのシリーズに関するシリーズ記述なのかを医師が容易に把握することができる。なお、サムネイル画像表示欄２３１ｃの領域には限りがあるため、表示されるシリーズ記述Ｄの文字数は予め定められた文字数となっている。
【００４６】
図８に戻り、検査リスト画面２３１のサムネイル画像表示欄２３１ｃに表示されている何れかのサムネイル画像上に操作部２２のマウスポインタが位置する（マウスオーバーされる）と（ステップＳ１４；ＹＥＳ）、マウスオーバーされたサムネイル画像に対応するシリーズのシリーズ記述がＲＡＭ２５から読み出され、ポップアップ表示される（ステップＳ１５）。
【００４７】
図１０に、ステップＳ１５においてシリーズ記述の内容がポップアップ表示された検査リスト画面２３１の一例を示す。図１０に示すように、マウスオーバーされたサムネイル画像Ｇの近傍には、そのシリーズのシリーズ記述の詳細（全文）Ｐがポップアップ表示されている。このように、医師は、操作部２２により所望するシリーズのサムネイル画像Ｇをマウスオーバーするという簡単な操作で、そのシリーズのシリーズ記述の詳細を容易に確認することができる。また、シリーズ記述が所定の文字数以外の場合、サムネイル画像をマウスオーバーしている間のみ、そのサムネイル画像に対応するシリーズのシリーズ記述が表示されるので、検査リスト画面２３１の限られた画面スペースの中で、表示されている情報の邪魔にならずに、医師が必要とするときにシリーズ記述を表示させることができる。なお、マウスオーバーが解除されると、ポップアップ表示は閉じられる。
【００４８】
図８に戻り、操作部２２により他の検査が選択されると（ステップＳ１６；ＹＥＳ）、処理はステップＳ１２に戻る。操作部２２により検査リスト２３１ｂ上で選択されている検査がダブルクリック等され読影画面への移行が指示されるか、或いは検査リスト画面２３１を閉じる操作がなされる等、操作部２２により検査リスト画面２３１の表示を終了する指示が入力されると（ステップＳ１６；ＮＯ、ステップＳ１７；ＹＥＳ）、シリーズ情報表示処理は終了する。
【００４９】
以上説明したように、医用画像管理システム１００によれば、クライアント端末２０のＣＰＵ２１は、操作部２２による操作に応じて、ＤＢ１６０に記憶されている医用画像の付帯情報の少なくとも患者情報、検査情報及びシリーズ情報をサーバから取得し、当該取得された付帯情報の患者情報及び検査情報に基づいて、ＤＢ１６０に記憶されている医用画像を検査単位で選択してデータ管理サーバ１０から取得するための検査リスト２３１ｂを生成し表示部２３の検査リスト画面２３１上に表示させる。そして、操作部２２により検査リスト２３１ｂ上の検査が選択されると、当該選択された検査に含まれるシリーズ毎に、そのシリーズに含まれる医用画像のサムネイル画像Ｇを検査リスト２３１ｂと同一画面上に表示させるとともに、サムネイル画像Ｇに対応付けてそのシリーズのシリーズ記述Ｄを同一画面上に表示させる。
【００５０】
従って、医師は、検査リスト２３１ｂ上で操作部２２により所望する検査を選択するという簡単な操作で、その検査に含まれる各シリーズの概要をサムネイル画像Ｇで知ることができる。また、各シリーズのシリーズ記述Ｄをサムネイル画像Ｇと対応させて表示することができるので、医師が読影前に知っておくべき事項をきちんと把握することができ、読影診断を効率的に行うことが可能となる。また、各シリーズのシリーズ記述Ｄはそのシリーズのサムネイル画像Ｇと対応して表示されるので、どのシリーズに関するシリーズ記述なのかを医師が容易に把握することができる。
【００５１】
また、ＣＰＵ２１は、操作部２２によりサムネイル画像Ｇがマウスオーバーされると、マウスオーバーされたサムネイル画像Ｇに対応するシリーズのシリーズ記述Ｄの全てをポップアップ表示させる。従って、少ないスペースであっても必要な場合にシリーズ記述の全文を検査リスト画面２３１上から確認することができる。
【００５２】
なお、上記実施の形態における記述内容は、本発明の好適な一例であり、これに限定されるものではない。
例えば、上記実施の形態においては、サムネイル画像Ｇとともにシリーズ記述Ｄを表示する場合を例にとり説明したが、サムネイル画像Ｇとともに表示するシリーズ情報の項目は、これに限定されない。シリーズ情報の項目のうち何れの項目をサムネイル画像とともに表示させるかは、操作部２２により任意に予め設定可能である。
【００５３】
また、上記実施の形態においては、サムネイル画像Ｇを操作部２２によりマウスオーバーすると、シリーズ記述Ｄの詳細がポップアップ表示されることとしたが、これに限定されない。例えば、サムネイル画像Ｇをクリックしたときにシリーズ記述Ｄの内容がポップアップ表示されることとしてもよい。
【００５４】
また、上記実施の形態においては、本発明をデータ管理サーバ１０及びクライアント端末２０を備える医用画像管理システムに適用する場合について説明したが、データ管理サーバ１０とクライアント端末２０の双方の機能を備えた単体のコンピュータ装置からなる医用画像表示装置に本発明を適用することとしてもよい。
【００５５】
また、上記の説明では、本発明に係るプログラムのコンピュータ読み取り可能な媒体としてハードディスクや半導体の不揮発性メモリ等を使用した例を開示したが、この例に限定されない。その他のコンピュータ読み取り可能な媒体として、ＣＤ−ＲＯＭ等の可搬型記録媒体を適用することが可能である。また、本発明に係るプログラムのデータを通信回線を介して提供する媒体として、キャリアウエーブ（搬送波）も適用される。
【００５６】
その他、医用画像管理システムを構成する各装置の細部構成及び細部動作に関しても、本発明の趣旨を逸脱することのない範囲で適宜変更可能である。
【符号の説明】
【００５７】
１００  医用画像管理システム
１０  データ管理サーバ
１１  ＣＰＵ
１２  操作部
１３  表示部
１４  通信部
１５  ＲＡＭ
１６  記憶部
１７  バス
１６０  ＤＢ
１６１  患者情報テーブル
１６２  検査情報テーブル
１６３  シリーズ情報テーブル
１６４  画像情報テーブル
１６５  画像ファイル
２０  クライアント端末
２１  ＣＰＵ
２２  操作部
２３  表示部
２４  通信部
２５  ＲＡＭ
２６  記憶部
２７  バス
２３１  検査リスト画面
２３１ａ  検索条件入力欄
２３１ｂ  検査リスト
２３１ｃ  サムネイル画像表示欄
２３１ｄ  サーチボタン
２３１ｅ  クリアボタン
【図１】
0005760551.tif 000002
【図２】
0005760551.tif 000003
【図３】
0005760551.tif 000004
【図４】
0005760551.tif 000005
【図５】
0005760551.tif 000006
【図６】
0005760551.tif 000007
【図７Ａ】
0005760551.tif 000008
【図７Ｂ】
0005760551.tif 000009
【図８】
0005760551.tif 000010
【図９】
0005760551.tif 000011
【図１０】
0005760551.tif 000012